(57)【要約】    【課題】  サイドトリガ基板とアンテナパターンとを別々に設ける必要の無い携帯端末の提供    【解決手段】  サイドトリガ基板５２，５４にアンテナパターン３５ＡＰ、２８ＡＰが設けられるので、サイドトリガ基板とアンテナパターンとを別々に設ける必要が無い。筐体１１の右側面１４Ｒ、左側面１４Ｌは、手の平で覆われること無いので、右側面１４Ｒのサイドトリガ基板５２に設けられたアンテナパターン３５ＡＰ、左側面１４Ｌのサイドトリガ基板５４に設けられたアンテナパターン２８ＡＰは、人体からの影響を受け難い。【選択図】  図１
2019193127.tif 000002
【特許請求の範囲】
【請求項１】
平板状立方型の筐体の側面にサイドトリガスイッチを備えた携帯端末において、
前記サイドトリガスイッチの操作を検出するサイドトリガ基板を備え、
前記サイドトリガ基板にアンテナパターンを設けたことを特徴とする携帯端末。
【請求項２】
請求項１の携帯端末において、
前記サイドトリガ基板は、一対の長辺と一対の短辺とを有する矩形形状を備え、
前記アンテナパターンは、前記サイドトリガ基板の前記一対の長辺と少なくとも一方の短辺の周縁に這わせたことを特徴とする。
【請求項３】
請求項１または請求項２の携帯端末であって、
前記サイドトリガ基板は、前記サイドトリガスイッチの操作を検出するポリドームを設けて成り、
前記アンテナパターンは、前記ポリドームの外側に前記ポリドームとの干渉を避けて設けられていることを特徴とする。
【請求項４】
請求項１〜請求項３のいずれか１の携帯端末であって、
前記アンテナパターンは、無線ＬＡＮ用またはＧＰＳ用の少なくとも一方であることを特徴とする。
【請求項５】
請求項４の携帯端末であって、
前記筐体の一方の側面の前記サイドトリガ基板に前記無線ＬＡＮ用の前記アンテナパターンが設けられ、
前記筐体の他方の側面の前記サイドトリガ基板に前記ＧＰＳ用の前記アンテナパターンが設けられていることを特徴とする。
【請求項６】
請求項１〜請求項５のいずれか１の携帯端末であって、
前記サイドトリガ基板はフレキシブルプリント回路基板から成る。
【請求項７】
請求項１〜請求項６のいずれか１の携帯端末であって、
前記筐体の表面及び裏面に無線通信用のアンテナパターンが設けられている。
【発明の詳細な説明】
【技術分野】
【０００１】
本発明は、携帯端末に関するものである。
【背景技術】
【０００２】
近年、携帯端末に電話通信以外にもＧＰＳ機能、無線ＬＡＮ機能、無線タグ読み取り機能等の複数の通信機能を備えるものがあり、電話通信用アンテナ以外にもＧＰＳ用アンテナ、無線ＬＡＮ用アンテナ、無線タグ読み取り用アンテナ等複数種類のアンテナが筐体内に内蔵されている。特許文献１には、サイドトリガスイッチとアンテナとを筐体側面に設けた構成が開示されている。
【先行技術文献】
【特許文献】
【０００３】
【特許文献１】特開２０００−１５１７７４号公報
【発明の概要】
【発明が解決しようとする課題】
【０００４】
ところで、上記特許文献１のような構成は、サイドトリガスイッチ検出用のサイドトリガ基板とアンテナとを別々に設けていると考えられる。サイドトリガ基板とアンテナが別々に設けられていることによって、スペースを取るため、大型化するという課題があった。
【０００５】
本発明は、上述した課題を解決するためになされたものであり、その目的とするところは、サイドトリガ基板とアンテナパターンとを別々に設ける必要の無い携帯端末を提供することにある。
【課題を解決するための手段】
【０００６】
本発明の携帯端末では、平板状立方型の筐体（１１）の側面にサイドトリガスイッチ（２５Ｒ）を備える。そして、
前記サイドトリガスイッチ（２５Ｒ）の操作を検出するサイドトリガ基板（５２、５４）を備え、
前記サイドトリガ基板（５２、５４）にアンテナパターン（３５ＡＰ、２８ＡＰＰ）を設けたことを特徴とする。
なお、上記各括弧内の符号は、後述する実施形態に記載の具体的手段との対応関係を示すものである。
【発明の効果】
【０００７】
請求項１の携帯端末では、サイドトリガ基板にアンテナパターンが設けられるので、サイドトリガ基板とアンテナパターンとを別々に設ける必要が無く、一体化により小型化に寄与する。筐体の表面及び裏面に無線通信用のアンテナパターンが設けられていても、筐体の側面のサイドトリガ基板に設けられたアンテナパターンは、該無線通信用のアンテナパターンとの干渉を避けることができる。また、筐体の側面は、手の平で覆われること無いので、サイドトリガ基板に設けられたアンテナパターンは、人体からの影響を受け難い。
【０００８】
請求項２の携帯端末では、アンテナパターンがサイドトリガ基板の一対の長辺と少なくとも一方の短辺の周縁に這わせてあるので、長さが十分に取れ、アンテナパターンを波長に対応させた長さに調整可能である。
【０００９】
請求項３の携帯端末では、アンテナパターンがポリドームの外側にポリドームとの干渉を避けて設けられているため、サイドトリガ基板を確実に機能させつつ、アンテナ機能も確保することができる。
【００１０】
請求項４の携帯端末では、アンテナパターンは、無線ＬＡＮ用またはＧＰＳ用の少なくとも一方であり、サイドトリガ基板に設けられるので、サイドトリガ基板と無線ＬＡＮ用またはＧＰＳ用のアンテナパターンとを別々に設ける必要が無い。筐体の表面及び裏面に無線通信用のアンテナパターンが設けられていても、筐体の側面のサイドトリガ基板に設けられた無線ＬＡＮ用またはＧＰＳ用のアンテナパターンは、該無線通信用のアンテナパターンとの干渉を避けることができる。
【００１１】
請求項５の携帯端末では、筐体の表面及び裏面に無線通信用のアンテナパターンが設けられていても、筐体の側面のサイドトリガ基板に設けられた無線ＬＡＮ用及びＧＰＳ用のアンテナパターンは、該無線通信用のアンテナパターンとの干渉を避けることができる。
【００１２】
請求項６の携帯端末では、サイドトリガ基板はフレキシブルプリント回路基板であるため、極めて薄く、自在に曲げることができるため、携帯端末内でのわずかな隙間や立体的な配置が可能である。
【００１３】
請求項７の携帯端末では、筐体の表面及び裏面に設けられた無線通信用のアンテナパターンに対して、筐体の側面のサイドトリガ基板に設けられたアンテナパターンは干渉を避けることができる。
【図面の簡単な説明】
【００１４】
【図１】実施形態に係る携帯端末の構成概要を示す斜視図である。
【図２】図１の携帯端末の裏蓋を外して見た斜視図である。
【図３】図３は、図１の携帯端末の電気的構成を例示するブロック図である。
【図４】図４（Ａ）は、図３の無線タグ処理部を概略的に例示するブロック図であり、図４（Ｂ）は、図３の情報コード読取部を概略的に例示するブロック図である。
【図５】図５（Ａ）はＧＰＳ用のアンテナパターンの設けられるサイドトリガ基板の平面図であり、図５（Ｂ）は無線ＬＡＮ用のアンテナパターンの設けられるサイドトリガ基板の平面図である。
【発明を実施するための形態】
【００１５】
以下、本発明に係る携帯端末を具現化した実施形態について、図面を参照して説明する。
本実施形態に係る携帯端末１０は、通常の公衆回線を用いた携帯電話機能に加えて、ユーザによって携帯されて様々な場所で用いられる携帯型の情報端末として構成されており、アンテナを介して送受信される電波を媒介として無線タグ（ＲＦＩＤタグ）Ｔに記憶されている情報を読み書きする機能に加えて、バーコードや二次元コードなどの情報コードＣを読み取る情報コードリーダとしての機能を兼ね備え、外部の情報の読み取りを二方式で行いうる構成となっている。更に、ＧＰＳ機能や無線ＬＡＮ機能を備える。
【００１６】
図１及び図２に示すように、平板状立方型の携帯端末１０は、筐体１１によって外郭が形成されており、筐体１１の表面１２には、狭額縁化（狭ベゼル化）されるように大型化された表示画面２４ａが配置されている。また、筐体１１の裏面１３には、筐体１１内に収容される電池２９ａを交換する際に着脱される電池交換用の裏蓋１３ａが設けられている。筐体１１は、表面１２及び裏面１３と、右側面１４Ｒ及び左側面１４Ｌ、前面１５Ｆ、後面１５Ｂとを備える。
【００１７】
右側面１４Ｒには、サイドトリガスイッチ（サイドトリガ）２５Ｒが設けられている。左側面１４Ｌにも図示しないサイドトリガスイッチが設けられている。
右側面１４Ｒには、サイドトリガスイッチ２５Ｒとして、電源オン・オフサイドトリガスイッチ２５Ｒａ、情報コード読み取りを開始させる情報コード読み取りサイドトリガスイッチ２５Ｒｂ、音量引き上げサイドトリガスイッチ２５Ｒｃ、音量引き下げサイドトリガスイッチ２５Ｒｄが設けられている。
【００１８】
図２中に示されるように、裏蓋１３ａの右側（図２中の手前側）には、右側面１４Ｒのサイドトリガスイッチ２５Ｒの操作を検出するためのサイドトリガ基板５２が設けられている。図２中には示されないが、裏蓋１３ａの左側（図２中の奥前側）には、左側面１４Ｌのサイドトリガスイッチの操作を検出するためのサイドトリガ基板５４（図５（Ｂ）参照）が設けられている。サイドトリガ基板５２、５４は、フレキシブルプリント回路基板である。このため、極めて薄く、自在に曲げることができるので、携帯端末内でのわずかな隙間や立体的な配置が可能である。サイドトリガ基板５２には、サイドトリガスイッチ２５Ｒの操作を検出するポリドーム５５が設けられている。ポリドーム５５として、電源オン・オフサイドトリガスイッチ２５Ｒａの操作を検出する電源ポリドーム５５ａ、情報コード読み取りサイドトリガスイッチ２５Ｒｂの操作を検出する読み取りポリドーム５５ｂ、音量引き上げサイドトリガスイッチ２５Ｒｃの操作を検出する音量引き上げポリドーム５５ｃ、音量引き下げサイドトリガスイッチ２５Ｒｄの操作を検出する音量引き下げポリドーム５５ｄが設けられている。
【００１９】
図３に示すように、携帯端末１０の筐体１１内には、携帯端末１０全体を制御する制御部２１が設けられている。この制御部２１は、マイコンを主体として構成されるものであり、ＣＰＵ、システムバス、入出力インタフェース等を有し、メモリ２２とともに情報処理装置を構成している。メモリ２２には、無線通信処理等を実行するための所定のプログラム等が制御部２１により実行可能に予め格納されている。
【００２０】
また、制御部２１には、ＬＥＤ２３、タッチパネル２４、操作部２５、バイブレータ２６、ブザー２７、外部インタフェース２８、ＧＰＳ部３５、電話通信部３６などが接続されている。タッチパネル２４は、公知のタッチパネル型の表示装置として構成されており、液晶表示器等の公知の表示デバイスとして構成される表示部と、この表示部の表示画面２４ａに重ねられて当該表示画面２４ａに対して押圧操作（接触）している範囲を検出可能な検出部として機能する透明性の操作パネルとを備えている。このタッチパネル２４は、制御部２１によって表示部の表示内容が制御される。操作部２５は、上記操作パネルを備えるように構成されることで、タッチパネル２４の表示画面２４ａに対する押圧操作（タッチ範囲等）を検出可能に構成される。操作部２５は、更に、サイドトリガスイッチの操作を検出可能に構成されている。また、ＬＥＤ２３、バイブレータ２６及びブザー２７は、制御部２１によって制御される構成をなしており、それぞれ、制御部２１からの指令を受けて動作する。外部インタフェース２８は、無線ＬＡＮ用アンテナ２８Ａを備え、サーバ等の外部機器との間でネットワーク等を介してデータ通信を行うためのインタフェースとして構成されており、制御部２１と協働して通信処理を行う構成をなしている。また、筐体１１内には、電源部２９が設けられており、この電源部２９や電池２９ａによって制御部２１や各種電気部品に電力が供給されるようになっている。
【００２１】
ＧＰＳ部３５は、ＧＰＳ用アンテナ３５Ａを備え、携帯端末の現在位置を検出する。電話通信部３６は、公衆回線を介して携帯端末を携帯電話として機能させるもので、筐体１１の表面１２側に設けられた携帯通信用アンテナ３６Ａ、３６Ｂと、裏面１３側に設けられた携帯通信用アンテナ３６Ｃとの３本のアンテナを備え、３本のアンテナを通信状況に応じて切り替えて通信を行うように構成されている。
【００２２】
また、制御部２１には、外部の情報を読み取り可能な情報読取部として機能する無線タグ処理部３０及び情報コード読取部４０が接続されている。
まず、無線タグ処理部３０について、図４（Ａ）を用いて説明する。
無線タグ処理部３０は、アンテナ３０Ａ及び制御部２１と協働して無線タグＴとの間で電磁波による通信を行ない、無線タグＴに記憶されるデータの読取り、或いは無線タグＴに対するデータの書込みを行なうように機能するものである。この無線タグ処理部３０は、公知の電波方式で伝送を行う回路として構成されており、図４（Ａ）にて概略的に示すように、送信回路３１、受信回路３２、整合回路３３などを有している。
【００２３】
送信回路３１は、キャリア発振器、符号化部、増幅器、送信部フィルタ、変調部などによって構成されており、キャリア発振器から所定の周波数のキャリア（搬送波）が出力される構成をなしている。また、符号化部は、制御部２１に接続されており、当該制御部２１より出力される送信データを符号化して変調部に出力している。変調部は、キャリア発振器からのキャリア（搬送波）、及び符号化部からの送信データが入力される部分であり、キャリア発振器より出力されるキャリア（搬送波）に対し、通信対象へのコマンド送信時に符号化部より出力される符号化された送信符号（変調信号）によってＡＳＫ（Amplitude Shift Keying）変調された被変調信号を生成し、増幅器に出力している。増幅器は、入力信号（変調部によって変調された被変調信号）を所定のゲインで増幅し、その増幅信号を送信部フィルタに出力しており、送信部フィルタは、増幅器からの増幅信号をフィルタリングした送信信号を、整合回路３３を介してアンテナ３０Ａに出力している。このようにしてアンテナ３０Ａに送信信号が出力されると、その送信信号が送信電波として当該アンテナ３０Ａより外部に放射される。
【００２４】
一方、アンテナ３０Ａによって受信された応答信号は、整合回路３３を介して受信回路３２に入力される。この受信回路３２は、受信部フィルタ、増幅器、復調部、二値化処理部、複号化部などによって構成されており、アンテナ３０Ａを介して受信された応答信号を受信部フィルタによってフィルタリングした後、増幅器によって増幅し、その増幅信号を復調部によって復調する。そして、その復調された信号波形を二値化処理部によって二値化し、復号化部にて復号化した後、その復号化された信号を受信データとして制御部２１に出力している。
【００２５】
次に、情報コード読取部４０について、図４（Ｂ）を用いて説明する。
情報コード読取部４０は、情報コードＣを光学的に読み取るように機能するもので、図４（Ｂ）に示すように、ＣＣＤエリアセンサからなる受光センサ４３、結像レンズ４２、複数個のＬＥＤやレンズ等から構成される照明部４１などを備えた構成をなしており、制御部２１と協働して読取対象Ｒに付された情報コードＣ（バーコードや二次元コード）を読み取るように機能する。
【００２６】
この情報コード読取部４０によって読み取りを行う場合、まず、制御部２１によって指令を受けた照明部４１から照明光Ｌｆが出射され、この照明光Ｌｆが読取口（図示略）を通って読取対象Ｒに照射される。そして、照明光Ｌｆが情報コードＣにて反射した反射光Ｌｒは読取口を通って装置内に取り込まれ、結像レンズ４２を通って受光センサ４３に受光される。読取口と受光センサ４３との間に配される結像レンズ４２は、情報コードＣの像を受光センサ４３上に結像させる構成をなしており、受光センサ４３はこの情報コードＣの像に応じた受光信号を出力する。受光センサ４３から出力された受光信号は、画像データとしてメモリ２２（図３）に記憶され、情報コードＣに含まれる情報を取得するためのデコード処理に用いられるようになっている。なお、情報コード読取部４０には、受光センサ４３からの信号を増幅する増幅回路や、その増幅された信号をデジタル信号に変換するＡＤ変換回路等が設けられているがこれらの回路については図示を省略している。
【００２７】
図５（Ａ）は、図１に示される筐体１１の右側面１４Ｒのサイドトリガスイッチ２５Ｒの操作を検出するためのサイドトリガ基板５２の平面図である。
サイドトリガ基板５２は、一対の長辺５２Ｌ、５２Ｌと一対の短辺５２Ｓ、５２Ｓとを有する矩形形状を備え、上述されたポリドーム５５、即ち、電源オン・オフサイドトリガスイッチ２５Ｒａの操作を検出する電源ポリドーム５５ａ、情報コード読み取りサイドトリガスイッチ２５Ｒｂの操作を検出する読み取りポリドーム５５ｂ、音量引き上げサイドトリガスイッチ２５Ｒｃの操作を検出する音量引き上げポリドーム５５ｃ、音量引き下げサイドトリガスイッチ２５Ｒｄの操作を検出する音量引き下げポリドーム５５ｄが設けられている。各ポリドーム５５には配線５６が接続されている。そして、ポリドーム５５の外側にポリドーム５５との干渉を避けてＧＰＳ用アンテナ３５Ａのアンテナパターン３５ＡＰが、一対の長辺５２Ｌ、５２Ｌと一対の短辺５２Ｓ、５２Ｓの周縁に這わせられている。このため、ＧＰＳのアンテナパターン３５ＡＰを波長に対応させた長さに調整可能である。ＧＰＳ部３５は、１．５GHz帯の電波を用い、アンテナパターン３５ＡＰのパターン長は、１．５GHzの半波長である約１０cmに設定されている。配線５６等の回路配線はＧＰＳ用アンテナ３５Ａのアンテナパターン３５ＡＰから１mm以上はなされ、アンテナ特性への影響が極力抑えられている。
【００２８】
図５（Ｂ）は、図１中に示される左側面１４Ｌのサイドトリガスイッチの操作を検出するためのサイドトリガ基板５４の平面図である。
サイドトリガ基板５４は、一対の長辺５４Ｌ、５４Ｌと一対の短辺５４Ｓ、５４Ｓとを有する矩形形状を備え、複数のポリドーム５５が設けられている。各ポリドーム５５には配線５６が接続されている。そして、ポリドーム５５の外側にポリドーム５５との干渉を避けて無線ＬＡＮ用アンテナ２８Ａのアンテナパターン２８ＡＰが、一対の長辺５４Ｌ、５４Ｌと一対の短辺５４Ｓの周縁に這わせられている。このため、無線ＬＡＮのアンテナパターンを波長に対応させた長さに調整可能である。外部インタフェース２８は、２．４GHz帯の電波を用い、アンテナパターン２８ＡＰのパターン長は、２．４GHzの半波長である約６．２５cmに設定されている。配線５６等の回路配線は無線ＬＡＮ用アンテナ２８Ａのアンテナパターン２８ＡＰから１mm以上はなされ、アンテナ特性への影響が極力抑えられている。
【００２９】
実施形態の携帯端末１０では、ＧＰＳのアンテナパターン３５ＡＰがサイドトリガ基板５２の一対の長辺５２Ｌ、５２Ｌと少なくとも一方の短辺５２Ｓの周縁に這わせてあり、無線ＬＡＮのアンテナパターン２８ＡＰがサイドトリガ基板５４の一対の長辺５４Ｌ、５４Ｌと少なくとも一方の短辺５４Ｓの周縁に這わせてあるので、長さが十分に取れ、アンテナパターンを波長に対応させた長さに調整可能である。
【００３０】
実施形態の携帯端末１０では、アンテナパターン３５ＡＰ、２８ＡＰがポリドーム５５の外側にポリドーム５５との干渉を避けて設けられているため、サイドトリガ基板５２、５４を確実に機能させつつ、アンテナ機能も確保することができる。
【００３１】
実施形態の携帯端末では、サイドトリガ基板５２，５４にアンテナパターン３５ＡＰ、２８ＡＰが設けられるので、サイドトリガ基板とアンテナパターンとを別々に設ける必要が無い。筐体１１の表面１２及び裏面１３に携帯通信用アンテナ３６Ａ、３６Ｂ、３６Ｃが設けられていても、筐体１１の右側面１４Ｒのサイドトリガ基板５２に設けられたアンテナパターン３５ＡＰ、筐体１１の左側面１４Ｌのサイドトリガ基板５４に設けられたアンテナパターン２８ＡＰは、該携帯通信用アンテナ３６Ａ、３６Ｂ、３６Ｃとの干渉を避けることができる。また、筐体１１の右側面１４Ｒ、左側面１４Ｌは、手の平で覆われること無いので、右側面１４Ｒのサイドトリガ基板５２に設けられたアンテナパターン３５ＡＰ、左側面１４Ｌのサイドトリガ基板５４に設けられたアンテナパターン２８ＡＰは、人体からの影響を受け難い。
【００３２】
実施形態の携帯端末では、アンテナパターンは、無線ＬＡＮ用またはＧＰＳ用の少なくとも一方であり、サイドトリガ基板に設けられるので、サイドトリガ基板と無線ＬＡＮ用またはＧＰＳ用のアンテナパターンとを別々に設ける必要が無い。筐体１１の表面１２及び裏面１３に携帯通信用アンテナ３６Ａ、３６Ｂ、３６Ｃが設けられていても、筐体１１の右側面１４Ｒ、左側面１４Ｌのサイドトリガ基板５２，５４に設けられた無線ＬＡＮ用またはＧＰＳ用のアンテナパターンは、該携帯通信用のアンテナパターンとの干渉を避けることができる。
【産業上の利用可能性】
【００３３】
上述した実施形態では、情報コードを読み出す携帯端末を例示したが、本発明の構成は情報コードを読み出すことができない携帯端末に適用可能である。
【符号の説明】
【００３４】
１０  携帯端末
１１  筐体
１４Ｌ  左側面
１４Ｒ  右側面
２５Ｒ  サイドトリガスイッチ
２８Ａ  無線ＬＡＮ用アンテナ
２８ＡＰ  アンテナパターン
３５Ａ  ＧＰＳ用アンテナ
３５ＡＰ  アンテナパターン
３６Ａ、３６Ｂ、３６Ｃ  携帯通信用アンテナ
５２  サイドトリガ基板
５４  サイドトリガ基板
５５  ポリドーム
【図１】
2019193127.tif 000003
【図２】
2019193127.tif 000004
【図３】
2019193127.tif 000005
【図４】
2019193127.tif 000006
【図５】
2019193127.tif 000007